(57)【特許請求の範囲】
【請求項１】
複数の領域で構成される書籍の価格を記憶する価格記憶手段と、
前記複数の領域それぞれに対応付けて課金額を記憶する課金額記憶手段と、
前記課金額記憶手段より前記複数の領域のうち利用者が表示させた領域の課金額を取得し、前記取得した課金額を累積し累積課金額を算出する課金額累積手段と、
前記利用者から前記書籍の購入申し込みを受け付けた場合、前記価格記憶手段から前記書籍の価格を取得し、前記累積課金額と前記書籍の価格との差額に基づき前記書籍の販売額を決定する販売額決定手段と、
前記利用者が前記書籍の購入の申し込みを行った場合、前記利用者が前記書籍の購入の申し込みを行う前に最後に表示させた領域の課金額を変更し、変更した課金額を前記課金額記憶手段に記憶させる課金額変更手段と、
を有する書籍販売額決定装置。
【請求項２】
複数の領域で構成される書籍の価格を記憶する価格記憶手段と、
前記複数の領域それぞれに対応付けて課金額を記憶する課金額記憶手段と、
前記課金額記憶手段より前記複数の領域のうち利用者が表示させた領域の課金額を取得し、前記取得した課金額を累積し累積課金額を算出する課金額累積手段と、
前記利用者から前記書籍の購入申し込みを受け付けた場合、前記価格記憶手段から前記書籍の価格を取得し、前記累積課金額と前記書籍の価格との差額に基づき前記書籍の販売額を決定する販売額決定手段と、
前記利用者が前記書籍の前記複数の領域のうちいずれの領域も一定期間以上表示させない場合、前記利用者が最後に表示させた領域の課金額を変更し、変更した課金額を前記課金額記憶手段に記憶させる課金額変更手段と、
を有する書籍販売額決定装置。
【請求項３】
前記販売額決定手段は、前記書籍の価格から前記累積課金額を差し引いた額が所定額以上の場合、前記書籍の販売額を前記所定額とすることを特徴とする請求項１または２記載の書籍販売額決定装置。
【請求項４】
前記複数の領域のうち一部の課金額は０であることを特徴とする請求項１から３のいずれか一項記載の書籍販売額決定装置。
【請求項５】
前記複数の領域のうち前記一部以外の課金額は一定であることを特徴とする請求項４記載の書籍販売額決定装置。
【請求項６】
前記課金額は前記複数の領域により異なることを特徴とする請求項１から３のいずれか一項記載の書籍販売額決定装置。
【請求項７】
複数の領域で構成される書籍の価格と、前記複数の領域それぞれに対応付けて課金額を記憶する課金額と、から前記書籍の販売価格を決定するためにコンピュータを、
前記複数の領域のうち利用者が表示させた領域の課金額を累積し累積課金額を算出する課金額累積手段と、
前記利用者から前記書籍の購入申し込みを受け付けた場合、前記累積課金額と前記書籍の価格との差額に基づき前記書籍の販売額を決定する販売額決定手段と、
前記利用者が前記書籍の購入の申し込みを行った場合、前記利用者が前記書籍の購入の申し込みを行う前に最後に表示させた領域の課金額を変更し、変更した課金額を前記最後に表示させた領域に対応付けて記憶する課金額とする課金額変更手段と、
として機能させることを特徴とする書籍販売額決定プログラム。
【請求項８】
複数の領域で構成される書籍の価格と、前記複数の領域それぞれに対応付けて課金額を記憶する課金額と、から前記書籍の販売価格を決定するためにコンピュータを、
前記複数の領域のうち利用者が表示させた領域の課金額を累積し累積課金額を算出する課金額累積手段と、
前記利用者から前記書籍の購入申し込みを受け付けた場合、前記累積課金額と前記書籍の価格との差額に基づき前記書籍の販売額を決定する販売額決定手段と、
前記利用者が前記書籍の前記複数の領域のうちいずれの領域も一定期間以上表示させない場合、前記利用者が最後に表示させた領域の課金額を変更し、変更した課金額を前記最後に表示させた領域に対応付けて記憶する課金額とする課金額変更手段と、
として機能させることを特徴とする書籍販売額決定プログラム。
【請求項９】
複数の領域で構成される書籍の価格と、前記複数の領域それぞれに対応付けて課金額を記憶する課金額と、から前記書籍の販売価格を決定するためにコンピュータによって実行される書籍販売額決定方法であって、
前記複数の領域のうち利用者が表示させた領域の課金額を累積し累積課金額を算出するステップと、
前記利用者から前記書籍の購入申し込みを受け付けた場合、前記累積課金額と前記書籍の価格との差額に基づき前記書籍の販売額を決定するステップと、
前記利用者が前記書籍の購入の申し込みを行った場合、前記利用者が前記書籍の購入の申し込みを行う前に最後に表示させた領域の課金額を変更し、変更した課金額を前記最後に表示させた領域に対応つけて記憶する課金額とするステップと、
を有する書籍販売額決定方法。
【請求項１０】
複数の領域で構成される書籍の価格と、前記複数の領域それぞれに対応付けて課金額を記憶する課金額と、から前記書籍の販売価格を決定するためにコンピュータによって実行される書籍販売額決定方法であって、
前記複数の領域のうち利用者が表示させた領域の課金額を累積し累積課金額を算出するステップと、
前記利用者から前記書籍の購入申し込みを受け付けた場合、前記累積課金額と前記書籍の価格との差額に基づき前記書籍の販売額を決定するステップと、
前記利用者が前記書籍の前記複数の領域のうちいずれの領域も一定期間以上表示させない場合、前記利用者が最後に表示させた領域の課金額を変更し、変更した課金額を前記最後に表示させた領域に対応付けて記憶する課金額とするステップと、
を有する書籍販売額決定方法。
【発明の詳細な説明】
【技術分野】
【０００１】
本発明は書籍販売額決定装置、書籍販売額決定プログラムおよび書籍販売額決定方法に関し、特に書籍を構成するページ等の領域の一部を表示した際に課金する書籍販売額決定装置、書籍販売額決定プログラムおよび書籍販売額決定方法に関する。
【背景技術】
【０００２】
書籍の一部または全部を表示し、表示した領域に対応し課金することが行われている。特許文献１には書籍のうち閲覧した情報部分のみに課金するシステムが開示されている。特許文献２には書籍の一部を試読させ、その後書籍を購入させるシステムが開示されている。
【特許文献１】特開２００２−２４５７０号公報
【特許文献２】特開２００３−１５０８３３号公報
【発明の開示】
【発明が解決しようとする課題】
【０００３】
特許文献１のシステムによれば、書籍の一部または全部を閲覧可能とし、その情報量に応じ課金することができる。しかしながら、閲覧が書籍の販売につながるものではない。特許文献２のシステムによれば、利用者は書籍の一部を試読した後書籍を購入することができる。しかしながら、試読可能な範囲を制限しない場合、利用者が読みたい部分を読んでしまうと書籍の販売につながらず販売者の損失が大きい。また、試読可能な範囲が制限される場合、利用者は試読したい部分が試読できず、購入意欲が惹起されない可能性がある。よって、書籍の販売がつながるとは限らない。
【０００４】
本発明は、上記課題に鑑みなされたものであり、利用者が購入しやすくかつ販売者の損失が少ない書籍販売額決定装置、書籍販売額決定プログラムおよび書籍販売額決定方法を提供することを目的とする。
【課題を解決するための手段】
【０００５】
本書籍販売額決定装置は、複数の領域で構成される書籍の価格を記憶する価格記憶手段と、前記複数の領域それぞれに対応付けて課金額を記憶する課金額記憶手段と、前記課金額記憶手段より前記複数の領域のうち利用者が表示させた領域の課金額を取得し、前記取得した課金額を累積し累積課金額を算出する課金額累積手段と、前記利用者から前記書籍の購入申し込みを受け付けた場合、前記価格記憶手段から前記書籍の価格を取得し、前記累積課金額と前記書籍の価格との差額に基づき前記書籍の販売額を決定する販売額決定手段と、前記利用者が前記書籍の購入の申し込みを行った場合、前記利用者が前記書籍の購入の申し込みを行う前に最後に表示させた領域の課金額を変更し、変更した課金額を前記課金額記憶手段に記憶させる課金額変更手段と、を有する書籍販売額決定装置である。
また、本書籍販売額決定装置は、複数の領域で構成される書籍の価格を記憶する価格記憶手段と、前記複数の領域それぞれに対応付けて課金額を記憶する課金額記憶手段と、前記課金額記憶手段より前記複数の領域のうち利用者が表示させた領域の課金額を取得し、前記取得した課金額を累積し累積課金額を算出する課金額累積手段と、前記利用者から前記書籍の購入申し込みを受け付けた場合、前記価格記憶手段から前記書籍の価格を取得し、前記累積課金額と前記書籍の価格との差額に基づき前記書籍の販売額を決定する販売額決定手段と、前記利用者が前記書籍の前記複数の領域のうちいずれの領域も一定期間以上表示させない場合、前記利用者が最後に表示させた領域の課金額を変更し、変更した課金額を前記課金額記憶手段に記憶させる課金額変更手段と、を有する書籍販売額決定装置である。
【０００６】
また、書籍販売額決定プログラムおよび書籍販売額決定方法は、複数の領域で構成される書籍の価格と、前記複数の領域それぞれに対応付けて課金額を記憶する課金額と、から前記書籍の販売価格を決定するためにコンピュータを、前記複数の領域のうち利用者が表示させた領域の課金額を累積し累積課金額を算出する課金額累積手段と、前記利用者から前記書籍の購入申し込みを受け付けた場合、前記累積課金額と前記書籍の価格との差額に基づき前記書籍の販売額を決定する販売額決定手段と、前記利用者が前記書籍の購入の申し込みを行った場合、前記利用者が前記書籍の購入の申し込みを行う前に最後に表示させた領域の課金額を変更し、変更した課金額を前記最後に表示させた領域に対応付けて記憶する課金額とする課金額変更手段と、として機能させることを特徴とする書籍販売額決定プログラムおよび書籍販売額決定方法である。
また、書籍販売額決定プログラムおよび書籍販売額決定方法は、複数の領域で構成される書籍の価格と、前記複数の領域それぞれに対応付けて課金額を記憶する課金額と、から前記書籍の販売価格を決定するためにコンピュータを、前記複数の領域のうち利用者が表示させた領域の課金額を累積し累積課金額を算出する課金額累積手段と、前記利用者から前記書籍の購入申し込みを受け付けた場合、前記累積課金額と前記書籍の価格との差額に基づき前記書籍の販売額を決定する販売額決定手段と、前記利用者が前記書籍の前記複数の領域のうちいずれの領域も一定期間以上表示させない場合、前記利用者が最後に表示させた領域の課金額を変更し、変更した課金額を前記最後に表示させた領域に対応付けて記憶する課金額とする課金額変更手段と、として機能させることを特徴とする書籍販売額決定プログラム書籍販売額決定プログラムおよび書籍販売額決定方法である。
【発明の効果】
【０００７】
本書籍販売額決定装置、書籍販売額決定プログラムおよび書籍販売額決定方法によれば、利用者が書籍を閲覧する際に課金することにより、書籍販売者は、仮に利用者が書籍を購入しない場合においても、費用を利用者に請求することができ、損失を抑制することができる。利用者は、立ち読み感覚で自由に書籍を閲覧できるため、書籍の購入の判断がしやすくなる。さらに、利用者は、書籍の価格と累積課金額との差額を支払えばよい。これにより、利用者は書籍をより購入しやすくなる。
【発明を実施するための最良の形態】
【０００８】
以下、図面を参照に、本発明の実施例について説明する。
【実施例１】
【０００９】
図１は、実施例１に係る書籍販売額決定装置を含むシステムのブロック図である。本システムは、書籍情報管理サーバ１００と利用者端末１１０と書籍販売会社端末１２０とを有しており、書籍情報管理サーバ１００と利用者端末１１０と書籍販売会社端末１２０とはネットワーク１０２で接続されている。
【００１０】
書籍情報管理サーバ１００は、ＣＰＵ１０（中央演算処理装置）およびハードディスクや不揮発性メモリ等の記憶装置３０を有している。利用者端末１１０はＣＰＵ３０、液晶ディスプレイや電子ペーパ等の表示装置４４およびキーボード等の入力装置４２を有している。利用者端末１１０は例えば書籍販売会社や書籍販売店等に設置されたパソコン、利用者のパソコンまたは携帯端末等である。書籍販売会社端末１２０は、書籍販売会社の書籍販売用の端末、または、オンラインショップの端末である。なお、利用者端末１１０および書籍販売会社端末１２０は複数設けられていてもよい。この場合、例えば利用者が、異なる書籍販売店において、異なる利用者端末１１０を利用しても、書籍情報管理サーバ１００内の情報を引き継ぐことができる。
【００１１】
図２は、書籍情報管理サーバ１００に含まれる書籍販売額決定装置の機能ブロック図である。図２を参照に、ＣＰＵ１０は書籍表示手段１２、表示ページ算出手段１４、課金額累積手段１６、フラグ更新手段１７、購入判断手段１８、販売額決定手段２０および販売額送信手段２４を有している。記憶装置３０は書籍データベース３２、課金データベース３４およびユーザデータベース３６を有している。
【００１２】
書籍は複数の領域を有している。領域とは課金を行う単位である。実施例１では、１領域は紙書籍の１ページに対応しているが、複数のページを１領域とする、またはページの一部を１領域とすることもできる。図３は書籍データベース３２内のデータを示す図である。図３を参照に、書籍データベース３２は、例えば、書籍名、コード、著者、出版社、価格、販売期間、増加金率、減価金率、増加幅および減価幅が対応付けられて記憶されている。また、各書籍のページ毎の本文データも記憶されている。このように、書籍データベース３２は書籍の価格を記憶する価格記憶手段として機能する。
【００１３】
図４は、課金データベース３４内のデータを示す図である。図４を参照に、課金データベース３４は、例えば各書籍の各ページ毎の課金額が記憶されている。このように、課金データベース３４は、複数のページ（領域）それぞれに対応付けて課金額を記憶する課金額記憶手段として機能する。
【００１４】
本システムの利用者であるユーザは、本システムを利用する際に、例えば、登録することによりユーザＩＤを取得することができる。図５は、ユーザデータベース３６内のデータを示す図である。図５を参照に、ユーザデータベース３６は、例えば、ユーザＩＤ、ユーザ名、試読中の書籍コード、既読ページ数、累積課金額および判定フラグ等が対応付けられて記憶されている。判定フラグは、各利用者の各書籍に対する状況を判定するための情報である。判定フラグは、ある利用者がある書籍を、試読している途中かあるいは購入したかを示すフラグである。例えば、判定フラグが０、１、２および３に対応し、それぞれ書籍を購入しない、試読中、購入要求（申し込み）あり、購入済を示す。
【００１５】
図６は表示装置４４の表示画面の例である。表示装置４４の画面は、書籍の本文を表示する本文表示エリア６０、購入、お勧め一覧、試読履歴、購入履歴および退出等の選択するためのメニュー表示エリア６２、課金額や購入可能価格、次ページ単価を表示する金額表示エリア６４、購入を要求するための購入要求エリア６６、ページの進退を指示する進退指示エリア６８を有している。
【００１６】
図７は、書籍販売額決定装置の処理を示すフローチャートである。なお、図７中の破線は情報の流れを示す。図３および図７を参照に、利用者は、利用者端末１１０の入力装置４２を操作し、閲覧したい書籍とそのページを入力する。書籍表示手段１２は、利用者端末１１０のＣＰＵ４０から利用者が閲覧を要求した書籍とページに関する情報を取得する。書籍表示手段１２は、書籍データベース３２から、該当する書籍のページの本文を取得し、利用者端末１１０のＣＰＵ４２を介し表示装置４４の本文表示エリア６０に書籍の本文を表示させる（ステップＳ１２）。このとき、利用者にとって最初の書籍の場合、フラグ更新手段１７は、判定フラグを１とする。
【００１７】
表示ページ算出手段１４は、書籍表示手段１２が送信した書籍のページ数（領域数）を算出する（ステップＳ１４）。課金額累積手段１６は、課金データベース３４から、表示装置４４に表示した（つまり利用者が閲覧した）ページに対応する課金額を取得し、取得した課金額を合計する。これにより、今回表示したページに対応する課金額の合計が算出される。課金額累積手段１６は、ユーザデータベース３６から前回までの当該利用者の当該書籍の累積課金額を取得する。課金額累積手段１６は、前回までの累積課金額に今回表示したページに対応する課金額を加算し、累積課金額を算出する（ステップＳ１６）。
【００１８】
フラグ変更手段１７は、当該利用者が閲覧した各書籍を一定期間以上閲覧していないかを判定する（ステップＳ１５）。Ｙｅｓの場合、フラグ変更手段１７は、一定期間以上閲覧していない書籍の判定フラグを０に更新する（ステップＳ１７）。
【００１９】
購入判定手段１８は利用者が書籍の購入要求をしたかを判定する（ステップＳ１８）。例えば、利用者が図６の購入要求エリア５６をクリックすることにより、購入要求がされる。Ｙｅｓの場合、フラグ変更手段１７はユーザデータベース３６内の購入要求された書籍の判定フラグを２に更新する（ステップＳ１９）。Ｎｏの場合、ステップＳ１２に戻る。
【００２０】
販売額決定手段２０は、書籍データベース３２から書籍の価格を取得し、書籍の価格から累積課金額を引いた差額を算出する（ステップＳ２０）。販売額決定手段２０は、差額が所定額（例えば０）より大きいかを判定する（ステップＳ２１）。Ｙｅｓの場合、差額を書籍の販売額とする（ステップＳ２２）。Ｎｏの場合、書籍の販売額を所定額（例えば０）とする（ステップＳ２３）。
【００２１】
販売額送信手段２４は、書籍の販売額をＣＰＵ４０を介し表示装置４４および書籍販売会社端末１２０に送信する（ステップＳ２４）。表示装置４４は例えば金額表示エリア６４ｂに販売額を購入可能金額として表示する。書籍販売会社で利用者が対象書籍を購入しようとすると、書籍販売会社端末１２０は、販売額送信手段２４が送信した販売額に基づき書籍を販売する。書籍の販売は、オンラインで電子データを送付してもよい。なお、利用者が書籍を購入しなかった場合（例えば、一定期間書籍の購入の申し込みをしなかった場合）、利用者の口座から累積された課金額を徴収することができる。
【００２２】
実施例１によれば、図７のステップＳ１６のように、課金額累積手段１６は、複数のページ（領域）のうち利用者が表示させたページの課金額を取得し、取得した課金額を累積し累積課金額を算出する。そしてステップＳ１８のように、利用者から前記書籍の購入申し込みを受け付けた場合、ステップＳ２０〜Ｓ２３のように、販売額決定手段２０は、書籍データベース（価格記憶手段）から前記書籍の価格を取得し、累積課金額と書籍の価格との差額に基づき書籍の販売額を決定する。このように、利用者が書籍を閲覧する際に課金することにより、書籍販売者は、仮に利用者が書籍を購入しない場合においても、費用を利用者に請求することができ、損失を抑制することができる。利用者は、立ち読み感覚で自由に書籍を閲覧できるため、書籍の購入の判断がしやすくなる。さらに、利用者は、書籍の価格と累積課金額との差額を支払えばよい。これにより、利用者は書籍をより購入しやすくなる。
【００２３】
また、販売額決定手段２４は、書籍の価格から累積課金額を差し引いた金額が所定額以上の場合、書籍の販売額を前記所定額とすることができる。これにより、利用者は、書籍を一定以上閲覧することにより書籍を購入しやすくなる。
【００２４】
図８（ａ）および図８（ｂ）は、試読ページ数に対する課金額および累積課金額の例を示した図である。図８（ａ）を参照に、試読ページ数がＡからＢまでは課金額は０である。よって、図８（ｂ）を参照に、累積課金額は、試読ページ数がＢまでは０である。すなわち、利用者は無料で閲覧可能である。図８（ａ）を参照に、試読ページ数がＢを越えると、１ページあたり一定の課金額が発生する。図８（ｂ）を参照に、累積課金額は、ペーズ数に伴い直線的に増加する。
【００２５】
図８（ａ）のように、複数の領域のうち一部の課金額を０とすることにより、利用者は当該領域を無料で閲覧することができる。よって、閲覧費用を支払わなくとも利用者も書籍の一部を閲覧することができる。さらに、複数の領域のうち課金額が０の領域以外の課金額を一定とすることができる。例えば、ページ数ＢからＣの１ページあたりの課金額を、（書籍の価格／ＢからＣのページ数）とすることにより、全てのページを閲覧すると、書籍が購入できることとなる。
【実施例２】
【００２６】
実施例２は、課金額をページ毎に変更する例である。図９は、実施例２に係る書籍販売額決定装置が有する課金額変更手段５０の機能ブロック図である。課金額変更手段５０はＣＰＵ１０に含まれ、課金額加算手段５２と課金額減算手段５４とを有している。
【００２７】
図１０は、実施例２の処理を示すフローチャートである。課金額変更手段５０は、実施例１の図７の処理中において、対象となる書籍を閲覧している全ての利用者について、フラグ更新手段１７が判定フラグを更新したか判断する（ステップＳ５０）。図７において、ステップＳ１７またはステップＳ１９でフラグ更新手段１７が判定フラグを更新したかを判断する。Ｎｏの場合、終了し、ステップＳ５０に戻る。Ｙｅｓの場合、課金額変更手段５０は、判定フラグが２かを判断する（ステップＳ５２）。Ｙｅｓの場合（つまり、利用者のいずれかが対象書籍の購入の申し込みをした場合）、課金額加算手段５２は、課金データベース３４内のうち利用者が最後に表示させたページ（対象ページ）の課金額を加算する（ステップＳ５３）。具体的には、課金額加算手段５２は、書籍データベース３２から課金額の加算額を示す増加額を取得する。または、課金額加算手段５２は、書籍データベース３２から増課金率を取得し、現在の課金額に増課金率を乗じた金額を増加額としてもよい。課金額加算手段５２は、対象ページの課金額を課金データベース３４から取得し第１課金額とする。第１課金額に増加額を加え第２課金額として、課金データベース３４に記憶させる。
【００２８】
ステップＳ５２においてＮｏの場合、課金額変更手段５０は、判定フラグが０かを判断する（ステップＳ５４）。Ｙｅｓの場合（つまり、利用者が書籍の複数のページのうちいずれのページも一定期間以上表示させない場合）、課金額減算手段５４は、課金データベース３４内の利用者が最後に表示させたページ（対象ページ）の課金額を減算する（ステップＳ５４）。具体的には、課金額減算手段５４は、書籍データベース３２から課金額の減算額を示す減価幅を取得する。または、課金額減算手段５４は、書籍データベース３２から減課金率を取得し、現在の課金額に減課金率を乗じた金額を減価額としてもよい。課金額減算手段５４は、対象ページの課金額を課金データベース３４から取得し第１課金額とする。第１課金額から減価幅を減じ第３課金額として、課金データベース３４に記憶させる。ステップＳ５４においてＮｏの場合終了し、ステップＳ５０にもどる。
【００２９】
実施例２によれば、図１０のステップＳ５２およびＳ５３のように、課金額加算手段５２は、利用者が書籍を購入の申し込みを行った場合、利用者が書籍を購入の申し込みを行う前に最後に表示させた領域の課金額に所定金額を加算し課金額とし課金データベース３４に記憶させる。このように、利用者が書籍を購入する際に最後に閲覧したページは、利用者の購買意欲を惹起したページである。このようなページは、書籍販売者としてはあまり閲覧させたくないページである。実施例２では、あまり閲覧させたくないページの課金額を高くすることができる。課金額加算手段５２は、課金額が一定の金額となった場合は、課金額に増加幅を加えないこともできる。つまり、課金額の上限を設けることができる。なお、課金額変更手段５０は、最後に表示させた領域の課金額を減額させてもよい。つまり、課金額変更手段５０は、最後に表示させた領域の課金額を変更してもよい。
【００３０】
また。課金額減算手段５４は、利用者が書籍を一定期間以上表示させない場合、利用者が最後に表示させたページの課金額から所定金額を減算し課金額として課金データベース３４に記憶させる。このように、利用者が書籍を一定期間以上表示させない場合、最後に閲覧したページは、利用者が書籍への興味を失わせたページである。このようなページは、書籍販売者としては閲覧させてもかまわないページである。実施例２では、閲覧させてかまわないページの課金額を低くすることができる。課金額減算手段５４は、課金額が一定の金額（例えば０）となった場合は、課金額から減価額を差し引かないこともできる。つまり、課金額の下限を設けることができる。なお、課金額変更手段５０は、最後に表示させた領域の課金額を増額させてもよい。つまり、課金額変更手段５０は、最後に表示させた領域の課金額を変更してもよい。
【００３１】
実施例１における図８（ａ）および図８（ｂ）のように、試読ページ数がＡからＢまでは課金額は０で、試読ページ数がＢを越えると、１ページあたり一定の課金額が発生する状態を、課金データベース３４内の情報の初期値とする。図１１（ａ）および図１１（ｂ９は、実施例２の図１０の処理を行った後の試読ページ数に対する課金額および累積課金額の例を示した図である。図１１（ａ）を参照に、試読ページ数がＡからＢまでは課金額は０である。よって、図１１（ｂ）を参照に、累積課金額は、試読ページ数がＢまでは０である。すなわち、実施例１と同様に、利用者は無料で閲覧可能である。
【００３２】
一方、図１１（ａ）および図１１（ｂ）を参照に、試読ページＢからＣでは、ページにより課金額が異なっている。図１０の処理を行うことにより、利用者が興味を引くページの課金額は高くなり、興味を引かないページの課金額は低くなる。よって、書籍販売会社が利用者にあまり閲覧されたくないページ（利用者が興味を引くページ）の課金額を高くすることができる。
【００３３】
以上のように実施例２によれば、各ページに対応した課金額を複数のページにより異ならせることができる。実施例２以外にも、例えば、利用者が興味を引くページの直前までの閲覧を無料にする等を行うこともできる。
【００３４】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００３５】
【図１】図１はシステムの構成図である。
【図２】図２は実施例１に係る書籍販売額決定装置の機能ブロック図である。
【図３】図３は書籍データベースのデータを示す図である。
【図４】図４は課金データベースのデータを示す図である。
【図５】図５はユーザデータベースのデータを示す図である。
【図６】図６は表示装置の画面の例を示す図である。
【図７】図７は処理のフローチャートを示す図である。
【図８】図８（ａ）および図８（ｂ）はそれぞれ試読ページに対する課金額および累積課金額を示す図ある。
【図９】図９は実施例２の課金額変更手段の機能ブロック図である。
【図１０】図１０は課金額変更手段が行う処理のフローチャートである。
【図１１】図１１（ａ）および図１１（ｂ）はそれぞれ試読ページに対する課金額および累積課金額を示す図ある。
【符号の説明】
【００３６】
１０          ＣＰＵ
１２          書籍表示手段
１４          表示ページ算出手段
１６          課金額累積手段
１７          フラグ変更手段
１８          購入判断手段
２０          販売額決定手段
２２          販売額送信手段
３０          記憶装置
３２          書籍データベース
３４          課金データベース
３６          ユーザデータベース
４０          ＣＰＵ
４２          入力装置
４４          表示装置
５０          課金額変更手段
５２          課金額加算手段
５４          課金額減算手段
【図１】
0005088183.tif 000002
【図２】
0005088183.tif 000003
【図３】
0005088183.tif 000004
【図４】
0005088183.tif 000005
【図５】
0005088183.tif 000006
【図６】
0005088183.tif 000007
【図７】
0005088183.tif 000008
【図８】
0005088183.tif 000009
【図９】
0005088183.tif 000010
【図１０】
0005088183.tif 000011
【図１１】
0005088183.tif 000012